(57)【要約】      （修正有）【課題】良好なスタッキング性が得られる満杯予告検知及び満杯検知機能付シート堆積装置を実現する。【解決手段】シート排出部からのシートを堆積させる排紙トレイと、その排出部の上側のアーム支持部材によって一方の端が支持され、その支持端よりもシート排出方向下流側でトレイ又はトレイに堆積されたシートに直接又は接触部材を介して接触する自由端と前記支持端との間に形成された上側に凸の１以上の屈曲部と少なくともその一部が撓み性を有するアームと、アームの上方に配置され、自由端の上昇につれてアームの各屈曲部の支持端側から自由端側へ順次上限規制する撓み規制部と、各屈曲部がたわみ規制部によって規制された状態にあることを検知する満杯予告センサ１４、２４と、全ての屈曲部が上限規制された状態から自由端がさらに上昇したときにアームの自由端が上限に達したことを検知する満杯センサ１５、２５とを備える。【選択図】図１
2006089198.tif 000002
【特許請求の範囲】
【請求項１】
シート排出部から排出されたシートを堆積させる排紙トレイと、
少なくともその一部がたわみ性を有するシート押さえアームであって、シート排出部より上側に配置されたアーム支持部材によって一方の端が支持された支持端、支持端よりもシート排出方向の下流側で排紙トレイあるいは排紙トレイに堆積されたシートに直接もしくは接触部材を介して接触する自由端ならびに前記支持端と前記自由端との間に形成された上側に凸の１以上の屈曲部とを有するアームと、
アームの上方に配置され、アーム自由端の上昇につれてたわみながら上昇するアームの各屈曲部の上限位置を規制するたわみ規制部であって、アームが複数の屈曲部を有する場合は自由端の上昇につれて支持端側の屈曲部から自由端側の屈曲部へ順次上限規制するたわみ規制部と、
各屈曲部がたわみ規制部によって規制された状態にあることを検知するために各屈曲部に対応して設けられる満杯予告センサと、
全ての屈曲部が上限規制された状態からさらにアームの自由端が上昇したときにアームの自由端が上限に達したことを検知する満杯センサと
を備えることを特徴とする満杯予告及び満杯検知機能付シート堆積装置。
【請求項２】
シート排出部から排出されたシートを堆積させる排紙トレイと、
たわみ性を有するシート押さえアームであって、シート排出部より上側に配置されたアーム支持部材によって一方の端が支持された支持端、支持端よりもシート排出方向の下流側で排紙トレイあるいは排紙トレイに堆積されたシートに直接もしくは接触部材を介して接触する自由端ならびに前記支持端と前記自由端との間に形成された湾曲部とを有するアームと、
アームの上方に配置され、アーム自由端の上昇につれてたわみながら上昇する湾曲部の上限位置を規制するたわみ規制部と、
アームの自由端の上昇につれて、湾曲部の１以上の点が支持端側の点から自由端側の点へ順次上限規制される状態を検知するため前記各点に対応して設けられる満杯予告センサと、
全ての満杯予告センサが上限規制状態を検知した状態からさらにアームの自由端が上昇したときに自由端が上限に達したことを検知する満杯センサとを備えることを特徴とする満杯予告及び満杯検知機能付シート堆積装置。
【請求項３】
アームの自由端もしくは自由端に取り付けられた接触部材は、排紙トレイにシートが堆積されていないときは排紙トレイに接触し、排紙トレイにシートが堆積されているときは最も上に堆積されたシートに接触する請求項１または２記載のシート堆積装置。
【請求項４】
たわみ規制部は、その下面がアームの各屈曲部あるいは湾曲部に当接することによってアームの上限を規制し、
各満杯予告センサは、アームの各屈曲部あるいは湾曲部の各点が当接するたわみ規制部の表面に配置される請求項１または２記載のシート堆積装置。
【請求項５】
排紙トレイが上下に移動する可動型トレイであり、
前記満杯予告センサあるいは満杯センサのいずれかは、排紙トレイを上下に移動させるときにトレイ移動の上限を検知するために機能する請求項１〜４のいずれか一つに記載のシート堆積装置。
【請求項６】
前記排紙トレイが、シートを堆積させる第１トレイ位置から所定距離だけ上昇した第２トレイ位置へ前のシート排出と次のシート排出との間に移動し、満杯予告センサ、満杯センサまたはそれら両方のセンサによる検知の後に第１トレイ位置に戻り、
第２トレイ位置での満杯予告センサ、満杯センサまたはそれら両方の各センサの検知結果に基づいて排紙トレイ上のシート堆積高さの程度を得る請求項５記載のシート堆積装置。
【請求項７】
たわみ規制部が上下に移動可能であり、
前記満杯予告センサあるいは満杯センサのいずれかは、たわみ規制部を上下に移動させるときに、たわみ規制部移動の下限を検知するために機能する請求項１〜４のいずれか一つに記載のシート堆積装置。
【請求項８】
前記たわみ規制部が、シートを排出させる第１位置から所定距離だけ降下した第２位置へ前のシート排出と次のシート排出との間に移動し、満杯予告センサ、満杯センサまたはそれら両方のセンサによる検知の後に第１位置に戻り、第２位置での満杯予告センサ、満杯センサまたはそれら両方の各センサの検知結果に基づいて排紙トレイ上のシート堆積高さの程度を得る請求項７記載のシート堆積装置。
【請求項９】
排紙トレイ上のシートを堆積させる領域にシートの有無を検知するシート取り忘れセンサをさらに備える請求項１〜４のいずれか一つに記載のシート堆積装置。
【請求項１０】
上下に移動可能であって、シート排出部より下方でシート排出部からのシートを堆積させるシート堆積位置とシート排出部より上方でシート排出部からのシートを堆積させない退避位置のいずれかにシート排出時に配置される可動型トレイと、
少なくともその一部がたわみ性を有するシート押さえアームであって、シート排出部より上側に配置されたアーム支持部材によって一方の端が支持された支持端、支持端よりもシート排出方向の下流側で可動型トレイあるいは可動型トレイに堆積されたシートに直接もしくは接触部材を介して接触する自由端ならびに前記支持端と前記自由端との間に形成された上側に凸の１以上の屈曲部とを有する第１アームと、
第１アームの上方に配置され、第１アーム自由端の上昇につれて上昇する各屈曲部の上限位置を規制するたわみ規制部第１たわみ規制部と、
第１アームの各屈曲部が第１たわみ規制部によって規制された状態にあることを検知するために第１アームの各屈曲部に対応して設けられる可動型トレイ満杯予告センサと、
第１アームの屈曲部が上限規制された状態でさらに第１アームの自由端が上昇したときに堆積シートの堆積高さが上限に達して可動型トレイが満杯であることを検知し、可動型トレイを上下に移動させるときには第１アームの自由端が第１たわみ規制部から所定距離に近づいたことを検知して可動型トレイの上限を規制する可動型トレイ満杯センサと、
可動型トレイが退避位置にあるときに排出されるシートを堆積させる固定トレイと、
少なくともその一部がたわみ性を有するシート押さえアームであって、可動型トレイの下面に配置されたアーム支持部材によって一方の端が支持された支持端、支持端よりもシート排出方向の下流側で固定トレイあるいは固定トレイに堆積されたシートに直接もしくは接触部材を介して接触する自由端ならびに前記支持端と前記自由端との間に形成された上側に凸の１以上の屈曲部とを有する第２アームと、
可動型トレイの下面に配置され、第２アーム自由端が可動型トレイ下面に近づくにつれて可動型トレイに近づく屈曲部の限界位置を規制する第２たわみ規制部と、
第２アームの屈曲部が第２たわみ規制部によって規制された状態にあることを検知するために第２アームの屈曲部に対応して可動型トレイの下面に配置される固定トレイ満杯予告センサと、
可動型トレイの下面に配置され、第２アームの屈曲部が規制された状態でさらに第２アームの自由端が可動型トレイ下面に近づいたときに堆積シートの堆積高さが上限に達して固定トレイが満杯であることを検知し、可動型トレイを上下に移動させるときには第２アームの自由端が可動型トレイの下面から所定距離に近づいたことを検知して可動型トレイの下限を規制する固定トレイ満杯センサと
を備えることを特徴とする満杯予告及び満杯検知機能付シート堆積装置。
【請求項１１】
前記満杯予告センサあるいは満杯センサの検知に基づく情報を表示する表示部をさらに備える請求項１〜１０のいずれか一つに記載のシート堆積装置。
【請求項１２】
請求項１〜１１のいずれか一つに記載のシート堆積装置を備えてなる画像形成装置。
【発明の詳細な説明】
【技術分野】
【０００１】
本発明は、満杯予告及び満杯検知機能付シート堆積装置およびそれを備えてなる画像形成装置に関する。
【背景技術】
【０００２】
画像形成装置などから出力されるシートを堆積させるシート堆積装置では、排出されたシートの順序を保持しながら所定位置に整然と堆積させること、即ち良好なスタッキング性が求められる。このために、排出シートが排出方向の上流側に飛び出さないようにするシート押さえアームをシート受け台に配置する手法が知られている（例えば、特許文献１参照）。
また、枚数の多少にかかわらず、堆積可能なシートの枚数には限りがある。このため、排出されたシートが満杯になりそうになったら堆積されたシートを取り除くようにユーザに促したり、画像形成装置からのシートの排出を停止させたりするための満杯検知あるいは満杯予告検知を有することが望ましい。そして、これらの検知を単純な構成で実施できる手法が望まれている。このために、独立して昇降可能な複数のシート堆積手段の堆積高さ検知手段を１つの検知機構で行う手法が知られている（例えば、特許文献２参照）。
【特許文献１】特開昭６４−８１８０号公報
【特許文献２】特開２０００−１７７９１１号公報
【発明の開示】
【発明が解決しようとする課題】
【０００３】
近年装置のコンパクト化に伴って、装置の外観形状を“コ”の字型に形成し中央部の空間に排出されたシートを堆積させる複合機が多くなっている。このような複合機では限られた大きさの領域へ排出されるシートについて十分なシート堆積枚数と良好なスタッキング性が得られるシート堆積装置が特に望まれている。また、プリンタ、コピア、ファックスなどの複数の印字処理モードに応じてシートの排出先を分岐させて仕訳する“可動式ジョブセパレータ”などがシート堆積装置として装備されることが多い。
【０００４】
従来は、満杯予告あるいは満杯検知とスタッキング性向上のための機構はそれぞれ別のものであった。しかし、装置のコンパクト化への要望が一層強まるにつれて、構造の単純化、小型化が望まれている。さらに、可動式ジョブセパレータのように装置が複数のシート堆積部を有する場合にも対応できる構造が好ましい。
【０００５】
この発明は、単純な構造で良好なスタッキング性が得られ、満杯予告あるいは満杯検知を行うことができ、しかも複数のシート堆積部を有する装置にも適用可能なシート堆積装置を提供するものである。
【課題を解決するための手段】
【０００６】
この発明は、シート排出部から排出されたシートを堆積させる排紙トレイと、少なくともその一部がたわみ性を有するシート押さえアームであって、シート排出部より上側に配置されたアーム支持部材によって一方の端が支持された支持端、支持端よりもシート排出方向の下流側で排紙トレイあるいは排紙トレイに堆積されたシートに直接もしくは接触部材を介して接触する自由端ならびに前記支持端と前記自由端との間に形成された上側に凸の１以上の屈曲部とを有するアームと、アームの上方に配置され、アーム自由端の上昇につれてたわみながら上昇するアームの各屈曲部の上限位置を規制するたわみ規制部であって、アームが複数の屈曲部を有する場合は自由端の上昇につれて支持端側の屈曲部から自由端側の屈曲部へ順次上限規制するたわみ規制部と、各屈曲部がたわみ規制部によって規制された状態にあることを検知するために各屈曲部に対応して設けられる満杯予告センサと、全ての屈曲部が上限規制された状態からさらにアームの自由端が上昇したときにアームの自由端が上限に達したことを検知する満杯センサとを備えることを特徴とする満杯予告及び満杯検知機能付シート堆積装置を提供する。
【発明の効果】
【０００７】
この発明のシート堆積装置は、少なくともその一部がたわみ性を有するシート押さえアームであって、支持端と自由端との間に配置された上側に凸の１以上の屈曲部とを有するアームと、アームの各屈曲部の上限位置を規制するたわみ規制部とを備えるので、シート押さえアームの各屈曲部および自由端がたわみ規制部に規制される状態を検知することによって排紙トレイに堆積されたシートのスタッキング性を向上させると共に１以上のシート堆積高さに対応する満杯予告と満杯とを一本のアームで検知することができる。即ち、単純な構造で堆積シートの良好なスタッキング性を実現すると共に１以上のシート堆積高さを検知することができる。これによって、コンパクトで信頼性が高く、安価なシートの満杯予告あるいは満杯検知機構を実現することができる。本発明のシート堆積装置は、限られたスペース内に多量のシートを堆積させてシート堆積装置をコンパクト化したい場合や、複数段の排紙トレイのそれぞれに前記検知機構を設けるジョブセパレータなどへ適用する場合、特に好適である。
【発明を実施するための最良の形態】
【０００８】
この発明のシート堆積装置は、シート排出部から排出されたシートを堆積させる排紙トレイと、少なくともその一部がたわみ性を有するシート押さえアームであって、シート排出部より上側に配置されたアーム支持部材によって一方の端が支持された支持端、支持端よりもシート排出方向の下流側で排紙トレイあるいは排紙トレイに堆積されたシートに直接もしくは接触部材を介して接触する自由端ならびに前記支持端と前記自由端との間に形成された上側に凸の１以上の屈曲部とを有するアームと、アームの上方に配置され、アーム自由端の上昇につれてたわみながら上昇するアームの各屈曲部の上限位置を規制するたわみ規制部であって、アームが複数の屈曲部を有する場合は自由端の上昇につれて支持端側の屈曲部から自由端側の屈曲部へ順次上限規制するたわみ規制部と、各屈曲部がたわみ規制部によって規制された状態にあることを検知するために各屈曲部に対応して設けられる満杯予告センサと、全ての屈曲部が上限規制された状態からさらにアームの自由端が上昇したときにアームの自由端が上限に達したことを検知する満杯センサとを備えることを特徴とする。
【０００９】
ここで、アームがたわみ性を有するとは、シートの堆積高さあるいは排紙トレイからアーム支持部材までの高さの変化に応じてアームが弾性変形可能であることをいう。また、たわみ規制部は、アーム自由端の上昇およびそれに伴って上昇するアームの屈曲部が、所定の高さ以上は上昇しないように規制する機能を持つものをいい、屈曲部あるいは自由端の上昇につれて、前記各屈曲部あるいは自由端の上昇を順次上限規制するように配置される。また、アームの支持端はアーム支持部材に固定されていてもよいが、これに限らず、たとえばアームの自由端が上昇するにつれて回転するように枢持され、アームの自重あるいは軸回転方向のバネ力によって排紙トレイあるいは堆積されたシートを押圧するように取り付けられていてもよい。また、接触部材とは、シートが排紙ローラからの搬送力を受けて進行する際に、その進行を妨げない程度にシートに接触する部材であって、例えばアームの自由端に取り付けられたコロなどであってもよい。
【００１０】
また、前記満杯予告あるいは満杯センサは、例えばアームの屈曲部あるいは自由端がたわみ規制部に当接するのを検知する押圧スイッチであってもよいがそれに限定されず、アームが所定位置にあることを検知できるものであればよい。例えば、アームがたわみ規制部に当接した状態にあるとき、発光部から受光部への光路をさえぎるように配置されたフォトインタラプタなどを用いて実現することができる。その他、磁気センサや透磁率センサなどを利用してもよい。
【００１１】
あるいは、この発明のシート堆積装置は、シート排出部から排出されたシートを堆積させる排紙トレイと、たわみ性を有するシート押さえアームであって、シート排出部より上側に配置されたアーム支持部材によって一方の端が支持された支持端、支持端よりもシート排出方向の下流側で排紙トレイあるいは排紙トレイに堆積されたシートに直接もしくは接触部材を介して接触する自由端ならびに前記支持端と前記自由端との間に形成された湾曲部とを有するアームと、アームの上方に配置され、アーム自由端の上昇につれてたわみながら上昇する湾曲部の上限位置を規制するたわみ規制部と、アームの自由端の上昇につれて、湾曲部の１以上の点が支持端側の点から自由端側の点へ順次上限規制される状態を検知するため前記各点に対応して設けられる満杯予告センサと、全ての満杯予告センサが上限規制状態を検知した状態からさらにアームの自由端が上昇したときに自由端が上限に達したことを検知する満杯センサとを備えることを特徴とする。
【００１２】
このようにすれば、アームが１以上の屈曲部を有するのではなく、湾曲形状を有する場合でも、排紙トレイに堆積されたシートの１以上の堆積高さに対応する満杯予告と満杯とを一本のアームによって検知することができる。したがって、単純な構造で複数のシート堆積高さの検知を実現することができる。
また、アームの自由端もしくは自由端に取り付けられた接触部材は、排紙トレイにシートが堆積されていないときは排紙トレイに接触し、排紙トレイにシートが堆積されているときは最も上に堆積されたシートに接触するように構成されてもよい。
【００１３】
たわみ規制部は、その下面がアームの各屈曲部あるいは湾曲部に当接することによってアームの上限を規制し、各満杯予告センサは、アームの各屈曲部あるいは湾曲部の各点が当接するたわみ規制部の表面に配置されるようにしてもよい。
このようにすれば、たわみ規制部への当接によるアーム各部の上限規制を直接検知するので、単純な検知機構で正確な検知を実現することができ、安価で信頼性の高いシート満杯予告および満杯検知が実現できる。
【００１４】
排紙トレイが上下に移動する可動型トレイであり、前記満杯予告センサあるいは満杯センサのいずれかは、排紙トレイを上下に移動させるときにトレイ移動の上限を検知するために機能するように構成されてもよい。前記の構成によれば、トレイ移動の上限検知を満杯予告センサあるいは満杯センサで兼用できるので、トレイ移動の上限検知のために専用の検知センサあるいは検知機構を設ける必要がない。したがって、構造が単純で、安価で信頼性の高い可動型トレイの制御機構を実現することができる。
【００１５】
前記排紙トレイが、シートを堆積させるときに、前のシート排出と次のシート排出との間にシートを堆積させる第１トレイ位置から所定距離だけ上昇した第２トレイ位置で満杯予告センサ、満杯センサまたはそれら両方のセンサによる検知の後に第１トレイ位置に戻り、
第２トレイ位置での満杯予告センサ、満杯センサまたはそれら両方の各センサの検知結果に基づいて排紙トレイ上のシート堆積高さの程度を得る請求項５記載のシート堆積装置。
【００１６】
さらに、前記排紙トレイが、シートを堆積させる第１トレイ位置から所定距離だけ上昇した第２トレイ位置へ前のシート排出と次のシート排出との間に移動し、満杯予告センサ、満杯センサまたはそれら両方のセンサによる検知の後に第１トレイ位置に戻り、第２トレイ位置での満杯予告センサ、満杯センサまたはそれら両方の各センサの検知結果に基づいて排紙トレイ上のシート堆積高さの程度を得るようにしてもよい。このようにすれば、第２トレイ位置での満杯予告センサ、満杯センサまたはそれら両方の各センサの検知結果からシート堆積高さの程度を得ることができるので、第１トレイ位置だけでシート堆積高さの検知を行う場合と比べて、２倍の段階のシート堆積高さを検知することができ、シート堆積高さに関してより詳細な状態を得ることができる。
【００１７】
あるいはまた、たわみ規制部が上下に移動可能であり、前記満杯予告センサあるいは満杯センサのいずれかは、たわみ規制部を上下に移動させるときに、たわみ規制部移動の下限を検知するために機能するように構成してもよい。例えば、たわみ規制部材が可動型トレイの下面に配置されており、トレイの移動に伴って上下に移動する場合がこの構成に該当する。このように構成すれば、たわみ規制部の移動の下限検知を満杯予告センサあるいは満杯センサで兼用できるので、たわみ規制部移動の下限検知のために専用の検知センサあるいは検知機構を設ける必要がない。したがって、構造が単純で、安価で信頼性の高い可動型トレイの制御機構を実現することができる。また、たわみ規制部材が可動型トレイの下面に配置されている場合は、このような構成によってトレイ移動の下限を検知することができる。
【００１８】
前記たわみ規制部が、シートを排出させる第１位置から所定距離だけ降下した第２位置へ前のシート排出と次のシート排出との間に移動し、満杯予告センサ、満杯センサまたはそれら両方のセンサによる検知の後に第１位置に戻り、第２位置での満杯予告センサ、満杯センサまたはそれら両方の各センサの検知結果に基づいて排紙トレイ上のシート堆積高さの程度を得るようにしてもよい。このようにすれば、第２位置での満杯予告センサ、満杯センサまたはそれら両方の各センサの検知結果からシート堆積高さの程度を得ることができるので、第１位置だけでシート堆積高さの検知を行う場合と比べて、より多くの段階のシート堆積高さを検知することができ、シート堆積高さの程度をより詳細に知ることができる。
【００１９】
また、排紙トレイ上のシートを堆積させる領域にシートの有無を検知するシート取り忘れセンサをさらに備えるようにしてもよい。このようにすれば、シートの堆積高さが満杯予告の検知以下であっても、排紙トレイ上にシートが残っていることを検知することができる。したがって、ユーザにシートの取り忘れを知らせて排紙トレイを空にするように操作を促すことができる。例えば一回で多量のシートが排出されるような画像形成装置で印刷を行う場合などでは、画像形成の開始前にシートとり忘れの検知を行ってトレイを空にするようユーザを促すことが画像形成途中での排紙トレイの満杯を防止するために有効である。あるいは、前述のようにトレイ移動の上限下限を満杯予告あるいは満杯センサで兼用する場合、トレイに堆積されたシートの影響で上限あるいは下限位置が一定しないことがあり得る。このような場合、トレイの上限あるいは下限位置を正確に制御したい場合はトレイ移動前にシートとり忘れ検知を行い、シートの取り忘れがある場合はトレイ移動を行なわず、シートが取り除かれるのを待ってからトレイ移動を行うように制御することも可能である。
【００２０】
あるいはまた、この発明のシート堆積装置は、上下に移動可能であって、シート排出部より下方でシート排出部からのシートを堆積させるシート堆積位置とシート排出部より上方でシート排出部からのシートを堆積させない退避位置のいずれかにシート排出時に配置される可動型トレイと、少なくともその一部がたわみ性を有するシート押さえアームであって、シート排出部より上側に配置されたアーム支持部材によって一方の端が支持された支持端、支持端よりもシート排出方向の下流側で可動型トレイあるいは可動型トレイに堆積されたシートに直接もしくは接触部材を介して接触する自由端ならびに前記支持端と前記自由端との間に形成された上側に凸の１以上の屈曲部とを有する第１アームと、第１アームの上方に配置され、第１アーム自由端の上昇につれて上昇する各屈曲部の上限位置を規制するたわみ規制部第１たわみ規制部と、第１アームの各屈曲部が第１たわみ規制部によって規制された状態にあることを検知するために第１アームの各屈曲部に対応して設けられる可動型トレイ満杯予告センサと、第１アームの屈曲部が上限規制された状態でさらに第１アームの自由端が上昇したときに堆積シートの堆積高さが上限に達して可動型トレイが満杯であることを検知し、可動型トレイを上下に移動させるときには第１アームの自由端が第１たわみ規制部から所定距離に近づいたことを検知して可動型トレイの上限を規制する可動型トレイ満杯センサと、可動型トレイが退避位置にあるときに排出されるシートを堆積させる固定トレイと、少なくともその一部がたわみ性を有するシート押さえアームであって、可動型トレイの下面に配置されたアーム支持部材によって一方の端が支持された支持端、支持端よりもシート排出方向の下流側で固定トレイあるいは固定トレイに堆積されたシートに直接もしくは接触部材を介して接触する自由端ならびに前記支持端と前記自由端との間に形成された上側に凸の１以上の屈曲部とを有する第２アームと、可動型トレイの下面に配置され、第２アーム自由端が可動型トレイ下面に近づくにつれて可動型トレイに近づく屈曲部の限界位置を規制する第２たわみ規制部と、第２アームの屈曲部が第２たわみ規制部によって規制された状態にあることを検知するために第２アームの屈曲部に対応して可動型トレイの下面に配置される固定トレイ満杯予告センサと、可動型トレイの下面に配置され、第２アームの屈曲部が規制された状態でさらに第２アームの自由端が可動型トレイ下面に近づいたときに堆積シートの堆積高さが上限に達して固定トレイが満杯であることを検知し、可動型トレイを上下に移動させるときには第２アームの自由端が可動型トレイの下面から所定距離に近づいたことを検知して可動型トレイの下限を規制する固定トレイ満杯センサとを備えることを特徴とする。
【００２１】
さらに、この発明のシート堆積装置は、前記満杯予告センサあるいは満杯センサの検知に基づく情報を表示する表示部をさらに備えていてもよい。このようにすれば、前記センサの検知結果に基づいて、１以上の段階のシート満杯予告やシート満杯の状態表示を表示部に行ってユーザにシート堆積高さの状態を知らせ、適切な時期に堆積されたシートを取り除くようにユーザに処置を促すことができる。あるいは、必要に応じて可動トレイあるいはたわみ規制部材の位置を表示してユーザに知らせることができる。またあるいは、可動トレイあるいはたわみ規制部材を移動する際に、上限、下限位置の検知に異常があることを判定して表示部に異常状態の表示を行うことができる。
また、この発明の画像形成装置は、前述のいずれかのシート堆積装置を備えてなる。
【００２２】
以下、図面に示す実施形態に基づいてこの発明の実施の一態様を説明する。
（実施の形態１）
この実施の形態では、この発明のシート堆積装置の実施の一形態と、それを備えてなる画像形成装置の一形態の全体構造について以下に説明する。
図３は、この実施の形態の画像形成装置の構成例を示す説明図である。図３に示すように、この実施の形態の画像形成装置は、大別してスキャナー部、印字部、および、その他の部位であるシート搬送部から構成されている。
【００２３】
スキャナー部は、原稿に光を照射し、その反射光から、原稿の画像に応じた画像データを生成するものである。印字部は、スキャナー部が生成した画像データに基づいて可視像を形成し、この可視像を所定の転写シート（シート）に印字するものである。シート搬送部は、印字部にシートを供給するとともに、印字済のシートを排紙するためのものである。さらに、シート搬送部は、本画像形成装置の特徴的な構成であるローラ駆動機構を備えているが、この構成については後述する。
【００２４】
次に、本画像形成装置の各部の構成について説明する。まず、スキャナー部について説明する。スキャナー部は、上面に透明なガラスからなる原稿台１０１を有している。そして、この原稿台１０１の下方には、スキャナー光学系が配されている。このスキャナー光学系には、露光用光源１０２、反射鏡１０３、結像レンズ１０４と光電変換素子（ＣＣＤ）１０５が備えられている。露光用光源１０２は、原稿台１０１上に載置された原稿に光を照射するための光源１０２である。反射鏡１０３は、原稿からの反射光を、例えば図中に直線で示すように、結像レンズ１０４およびＣＣＤ１０５へ導くものである。ＣＣＤ１０５は、結像レンズ１０４によって結像された反射光を受光し、この反射光に応じた電気信号を画像信号として生成するものである。
【００２５】
次に、印字部およびシート搬送部について説明する。印字部は、感光体ローラ１１１、帯電部１１２、現像部１１３、転写チャージャ１１４、定着ローラ１１５、クリーニング装置１１６、図示しないレーザースキャンニングユニット（ＬＳＵ）１１７と定着紙検知スイッチを備えている。感光体ローラ１１１は、ドラム形状の感光体ローラ１１１であり、後述主搬送路１２１を搬送されるシートが感光体ローラ１１１と同速度でその表面に接するように回転駆動される。帯電部１１２は、感光体ローラ１１１の表面を所定の電位に帯電させるものである。ＬＳＵ１１７は、帯電された感光体ローラ１１１の表面上に、感光体ローラ１１１の回転軸と平行な方向にレーザー光を走査させて露光することにより、感光体ローラ１１１の表面に、スキャナー部から読み込まれた原稿の画像信号に応じた静電潜像を形成するものである。現像部１１３は、ＬＳＵ１１７を用いて感光体ローラ１１１の表面に形成した静電潜像を現像ローラ１１８によって現像し、感光体ローラ１１１の表面上にトナー像（顕像）を形成するものである。転写チャージャ１１４は、感光体ローラ１１１上のトナー像をシートに転写するものである。定着ローラ１１５は、印字後のシートに転写された未定着のトナー像を、シート上に熱定着させるものである。定着紙検知スイッチは、シートが定着ローラ１１５を通過したことを検知するものである。
クリーニング装置１１６は、トナー像がシートに転写された後、感光体ローラ１１１の表面に残留したトナーを除去するものである。
【００２６】
また、シート搬送部は、主搬送路１２１、副搬送路１２２、固定給紙カセット１２３、ピックアップローラ１２４、レジストローラ１２５、ガイド部材１２６、排紙口１２７、排紙ローラ１２８および搬送ローラ１２９と図示しないレジスト前検知スイッチを備えている。固定給紙カセット１２３は、印字にかかるシートを収納するためのものである。
ピックアップローラ１２４は、固定給紙カセット１２３から、シートを１枚毎に出紙するための半月状のローラである。レジスト前検知スイッチは、ピックアップローラ１２４によって搬送されたシートが主搬送路１２１上の所定の位置を通過したことを検知し、所定の検知信号を出力するためのものである。レジストローラ１２５は、主搬送路１２１を搬送されてきたシートをいったん保持するものである。そして、感光体ローラ１１１上のトナー像の先端をシートの先端に同期させて転写できるように、感光体ローラ１１１の回転にあわせて、シートをタイミングよく搬送する機能を有する。すなわち、レジストローラ１２５は、レジスト前検知スイッチが出力した検知信号に基づいて、感光体ローラ１１１上のトナー画像の先端がシートにおける印刷範囲の先端と同期するように、シートを搬送する。
【００２７】
排紙ローラ１２８は、排紙口１２７の近傍に備えられ、定着ローラ１１５から出紙されたシートを、第１排紙トレイ１３０あるいは第２排紙トレイ１３１（スキャナー部の下方の、固定給紙カセット１２３の上部に配置されている可動型トレイ）に排出するためのローラである。また、排紙ローラ１２８は、ガイド部材１２６および副搬送路１２２とともに、裏面印字機構としての機能を有する。すなわち、通常の片面印字では、ガイド部材１２６は、図３におけるＢ方向に配置され、主搬送路１２１から排紙ローラ１２８へシートを搬送できるようになっている。一方、シートの両面に印字を行う場合、シートの第１面に対する印字が終了し、主搬送路１２１からシートの後端が排出されたときに、ガイド部材１２６をＡ方向に回転し、排紙ローラ１２８から逆送されるシートを副搬送路１２２へ導くように配置する。排紙ローラ１２８は、定着ローラ１１５から出紙されたシートの後端部がガイド部材１２６を通過するまで順方向（排紙口１２７からシートを出紙する方向）に回転した後、逆方向に回転する。これにより、シートは、ガイド部材１２６を通過して副搬送路１２２へ運ばれ、搬送ローラ１２９によって再びレジストローラ１２５まで搬送され、第２面（裏面）に印字がされる。
【００２８】
図１は、この実施の形態にかかるシート堆積装置の構成例を示す説明図である。図１に示すシート体積装置は、排紙ローラ１２８から矢印Ｃの方向に排出されるシートを第１排紙トレイ１３０に堆積する場合を示している。図１（ａ）は第１排紙トレイにシートがない状態であり、この状態でシート押さえアーム２１の自由端は、自由端に取り付けられたコロを介して第１排紙トレイ１３０に接している。シートが排出され、第１排紙トレイ１３０上に堆積していくと、堆積したシートによってアーム２１の自由端が上昇する。
アーム２１の材質は、例えば燐青銅の平板であってたわみ性を有しているので、自由端の上昇に連れて屈曲部の前後でたわみを生じる。シートの堆積量が増加すると、やがてアーム２１の屈曲部がたわみ規制部２３に当たる。たわみ規制部２３にアーム２１の屈曲部が当接する部分にはたとえばマイクロスイッチからなる満杯予告センサ２４が設けられており、アーム２１の屈曲部が前記センサに設けられたアクチュエータを押さえると、これを検知して満杯予告信号を出力する。図１（ｂ）は、アーム２１の屈曲部が上昇してたわみ規制部２３にアーム２１の屈曲部が当接し、満杯予告センサ２４が満杯予告信号を出力する状態を示している。この状態からさらにシートの堆積量が増加すると、アーム２１の屈曲部よりも自由端側がたわんでアーム２１の自由端が上昇する。そして、自由端のコロがたわみ規制部２３に当たる。たわみ規制部２３にアーム２１の自由端のコロが当接する部分には、たとえばマイクロスイッチからなる満杯センサ２５が設けられており、これを検知して満杯信号を出力する。図１（ｃ）は、アーム２１の自由端が上昇して満杯センサ２５が満杯信号を出力する状態を示している。
【００２９】
図２は、この実施の形態にかかるシート堆積装置の異なる状態を示す説明図である。図２では、排出されたシートが第２排紙トレイ１３１に堆積される。図２（ａ）は第２排紙トレイにシートがない状態であり、この状態でシート押さえアーム１１の自由端は、自由端に取り付けられたコロを介して第２排紙トレイ１３１に接している。シートが排出され、第２排紙トレイ１３１上に堆積していくと、堆積したシートによってアーム１１の自由端が上昇する。アーム１１の材質は、例えば燐青銅の平板であってたわみ性を有しているので、自由端の上昇に連れて屈曲部の前後でたわみを生じる。シートの堆積量が増加すると、やがてアーム１１の屈曲部がたわみ規制部１３に当たる。たわみ規制部１３にアーム１１の屈曲部が当接する部分にはたとえばマイクロスイッチからなる満杯予告センサ１４が設けられており、アーム１１の屈曲部が前記センサに設けられたアクチュエータを押さえると、これを検知して満杯予告信号を出力する。図２（ｂ）は、アーム１１の屈曲部が上昇してたわみ規制部１３にアーム１１の屈曲部が当接し、満杯予告センサ１４が満杯予告信号を出力する状態を示している。この状態からさらにシートの堆積量が増加すると、アームの屈曲部はたわみ規制部に当接しているために上昇することはないが、アーム１１の屈曲部よりも自由端側がたわんで自由端が上昇する。そして、自由端のコロがたわみ規制部１３に当たる。たわみ規制部１３にアーム１１の自由端のコロが当接する部分には、たとえばマイクロスイッチからなる満杯センサ１５が設けられており、これを検知して満杯信号を出力する。図２（ｃ）は、アーム１１の自由端が上昇して満杯センサ１５が満杯信号を出力する状態を示している。
【００３０】
なお、この実施の形態では第１および第２排紙トレイを有するシート堆積装置を示したが、排紙トレイが１つだけの構成であってもよい。屈曲形状を有する弾性部材からなるシート押さえアームとたわみ規制部および２つのセンサによって満杯予告と満杯検知を行うことができる。
【００３１】
（実施の形態２）
この実施の形態では、シート押さえアームが複数の屈曲部を有する形状で、各屈曲部に対応した複数の満杯予告センサを備える場合について説明する。
図５は、この発明のシート堆積装置において、シート押さえアームが２つ屈曲部を有する場合を示す説明図である。各屈曲部に対応して第１満杯予告センサ２４と第２満杯予告センサ２７とが配置されている。なお、簡単のために図５では第１排紙トレイのセンサのみを示している。シートが排出され、第１排紙トレイ１３０上に堆積していくと、堆積したシートによってアーム２１の自由端が上昇する。アーム２１は、自由端の上昇に連れて屈曲部の前後でたわみを生じる。シートの堆積量が増加すると、やがてアーム２１の最も支持端側の屈曲部がたわみ規制部２３に当たる。たわみ規制部２３に前記屈曲部が当接する部分には第１満杯予告センサ２４が設けられており、アーム２１の屈曲部が前記センサに設けられたアクチュエータを押さえると、これを検知して第１満杯予告信号を出力する。図５（ａ）は、第１満杯予告センサ２４が第１満杯予告信号を出力する状態を示している。
【００３２】
前述の状態からさらにシートの堆積量が増加すると、アームの支持端側の屈曲部はたわみ規制部に当接しているために上昇することはないが、アーム２１の第１満杯予告センサ２４に当接した屈曲部よりも自由端側がたわんでアーム２１の自由端が上昇する。そして、自由端側の屈曲部がたわみ規制部２３に当たる。たわみ規制部２３にアーム２１の自由端側の屈曲部が当接する部分には、第２満杯センサ２７が設けられており、これを検知して第２満杯予告信号を出力する。図５（ｂ）は、第２満杯予告センサ２７が満杯信号を出力する状態を示している。
【００３３】
前述の状態からさらにシートの堆積量が増加すると、アームの２つの屈曲部はたわみ規制部に当接しているために上昇することはないが、アーム２１の自由端側の屈曲部と自由端との間がたわんでアーム２１の自由端が上昇する。そして、自由端のコロがたわみ規制部２３に当たる。たわみ規制部２３にアーム２１の自由端のコロが当接する部分には、たとえばマイクロスイッチからなる満杯センサ２５が設けられており、これを検知して満杯信号を出力する。図５（ｃ）は、アーム２１の自由端が上昇して満杯予告センサ２４が満杯信号を出力する状態を示している。
前述のようにして、シート押さえアームが複数の屈曲部を有する形状を利用して多段階の満杯予告を検知することができる。
【００３４】
（実施の形態３）
この実施の形態では、シート押さえアームが湾曲形状を有する場合について説明する。
図６は、この発明のシート堆積装置において、シート押さえアームが湾曲形状を有する場合を示す説明図である。なお、簡単のために図６では第１排紙トレイのセンサのみを示している。図６（ａ）は第１排紙トレイにシートがない状態であり、この状態でシート押さえアーム２１の自由端は、自由端に取り付けられたコロを介して第１排紙トレイ１３０に接している。シートが排出され、第１排紙トレイ１３０上に堆積していくと、堆積したシートによってアーム２１の自由端が上昇する。アーム２１は、自由端の上昇に連れて湾曲部にたわみを生じる。シートの堆積量が増加すると、やがてアーム２１の支持端側の湾曲部がたわみ規制部２３に当たる。たわみ規制部２３にアーム２１が当接する部分には満杯予告センサ２４と満杯センサ２５が設けられており、満杯予告センサ２４がアーム２１の支持端側に配置されている。自由端の上昇に連れて湾曲部が上昇すると、まず満杯予告センサ２４前記センサがアーム２１がたわみ規制部２３に当接したことを検知して満杯予告信号を出力する。図６（ｂ）は、満杯予告センサ２４が満杯予告信号を出力する状態を示している。
【００３５】
前述の状態からさらにシートの堆積量が増加すると、アーム２１の自由端側の湾曲部と自由端との間がたわんでアーム２１の自由端が上昇する。そして、自由端のコロがたわみ規制部２３に当たる。たわみ規制部２３にアーム２１の自由端のコロが当接する部分には、満杯センサ２５が設けられており、自由端の当接を検知して満杯信号を出力する。図６（ｃ）は、満杯予告センサ２４が満杯信号を出力する状態を示している。
【００３６】
前述のようにして、シート押さえアームが複数の屈曲部を有する形状を利用して多段階の満杯予告を検知することができる。
なお、この実施の形態では満杯予告センサと満杯センサがそれぞれ１つの場合を示したが、実施の形態２に述べたように複数の満杯予告センサを配置して多段階の満杯予告を検知するようにしてもよい。
【００３７】
（実施の形態４）
図１および２に示すように、第２排紙トレイが可動型トレイである場合、例えば、電源ＯＮの後、トレイの絶対位置を知って所定位置にトレイを配置するために初期化動作を実行する必要がある。そして、初期化動作中に排紙トレイが上下の可動範囲を超えないようにする必要がある。これを実現するためには、排紙トレイが可動範囲の上限位置あるいは下限位置にあることを検知するセンサを設ける必要がある。排紙トレイの絶対位置は、排紙トレイが下限位置あるいは上限位置にあることを検知し、その後の移動距離を得ることによって求めることができる。例えば、排紙トレイがステッピングモータによって駆動される場合、上限位置あるいは下限位置からの移動ステップ数を移動方向に応じて正または負にカウントすることによって絶対位置を求めることができる。あるいは、駆動モータの軸にエンコーダを取り付け、エンコーダのパルス数を移動方向に応じて加減算することによって求めてもよい。
【００３８】
前記の上限または下限位置を、それぞれ専用のセンサを設けて検知するようにしてもよいが、前述の満杯予告センサあるいは満杯センサをこのために用いて構造を単純化することができる。
【００３９】
図４は、第２排紙トレイの上限および下限位置を、満杯予告センサあるいは満杯センサを用いて検知する場合の上限位置および下限位置でのセンサの状態を示す説明図である。図４（ａ）は、第２排紙トレイが下限位置にある状態を示している。トレイが下限位置にあるときは、シート押さえアーム２１の自由端のコロが第１排紙トレイ１３０に押圧され、アーム２１の屈曲部が満杯予告センサ２４をオンする。トレイの初期化状態において、満杯センサ２４がオフの状態からトレイを下方に移動して、センサの状態がオンに変わったときにトレイが下限位置にあると検知することができる。
【００４０】
この場合、第１排紙トレイ上にシートが堆積されていると、トレイの絶対位置を正しく検出することができない。そこで、シートとり忘れセンサ２６が装備されている場合は、シート取り忘れセンサがシートを検知している場合、初期化動作前に報知を行ってシートを取り除くようにユーザを促してもよい。このようにすれば、１つのセンサで満杯予告センサとトレイ下限センサを併用することができる。
【００４１】
一方、図４（ｂ）は、第２排紙トレイが上限位置にある状態を示している。トレイが上限位置にあるときには、下方から第２排紙トレイ１３１に押し上げられたアーム２１の自由端のコロが、満杯センサ１５をオンする。トレイの初期化状態において、満杯センサ１５がオフの状態からトレイを上方に移動して、センサの状態がオンに変わったときにトレイが上限位置にあると検知することができる。
【００４２】
この場合、第２排紙トレイ上にシートが堆積されていると、トレイの絶対位置を正しく検出することができない。そこで、シートとり忘れセンサ１６が装備されている場合は、シート取り忘れセンサがシートを検知している場合、初期化動作前に報知を行ってシートを取り除くようにユーザを促してもよい。このようにすれば、１つのセンサで満杯センサとトレイ上限センサを併用することができる。
この実施の形態の例に限らず、トレイ下限位置を満杯センサ２５で検知することや、トレイ上限位置を満杯予告センサ１４で検知することも可能である。これらの手法はトレイやアームの形状等に応じて適宜選択すればよく、当業者にとっては自明である。
【００４３】
（実施の形態５）
この実施の形態では、満杯予告センサあるいは満杯センサが検知した堆積シートの堆積高さ、可動型トレイの上限位置あるいはたわみ規制部の下限位置に基づく情報の表示について説明する。さらに、可動トレイあるいはたわみ規制部を定期的にシート排出の合間に所定距離だけ排紙トレイに近づけ、満杯予告センサと満杯センサの状態を検知して多段階の満杯予告検知を行う手法について説明する。
【００４４】
実施の形態２〜４で説明したような満杯センサで排紙トレイの満杯が検知された場合、シートの排出を停止して、これ以上のシートが排紙トレイに排出されないようにしてもよい。この場合の対処は、ユーザの手によって排紙トレイに堆積されたシートが取り除かれなければならない。シートが取り除かれるまでは新たなシートを排出することができないからである。したがって、ユーザに対して排紙トレイに堆積したシートを取り除く様に知らせる手段を有することが好ましい。特に、図３のように排紙トレイの上方にスキャナー部がある画像形成装置のシート堆積装置では、排紙トレイがスキャナー部に隠れて堆積したシートの状態が見えにくい場合があるので、ユーザへの報知手段を有することが好ましい。この場合、単に満杯状態を報知しただけでは、シートの排出ができなくなってからユーザにシートを取り除くように促すことになり、後追い的な対処になってしまう。それよりも、堆積シートが満杯になる前の状態、すなわち満杯予告を合わせて報知することが好ましい。そうすれば、排紙トレイが満杯になる前にシートが取り除かれ、満杯のために処理が停止することなく続くことが期待できる。
【００４５】
実施の形態２〜４では、満杯センサに加えて満杯予告センサが設けられているので、排紙トレイが満杯になる前にシートを取り除くようにユーザを促すことができる。さらに、多段階の満杯予告検知やシートとり忘れの検知を行えば、ユーザに排紙トレイの状態をより詳細に知らせることができる。
【００４６】
図８は、排紙トレイの状態をユーザに知らせるための表示部の一例を示す説明図である。図８（ａ）、（ｂ）は、いずれも図３に示したジョブセパレータ付のシート堆積装置に対応している。図８（ａ）は、一段階の満杯予告と満杯検知を行う場合の例である。表示部３０には、下側の第１排紙トレイ１３０のシート堆積状態を表示する表示ランプ３１と、上側の第２排紙トレイ１３１のシート堆積状態を表示する表示ランプ３２とが設けられている。表示ランプ３１，３２は、いずれもトレイの満杯予告状態で点灯し、満杯状態で点滅する。それ以外の状態では消灯している。
【００４７】
例えば、図１（ａ）に示すように、第１排紙トレイ１３０と第２排紙トレイ１３１のいずれにもシートが堆積されていない場合、表示ランプ３１，３２はいずれも消灯させる。
排出されたシートが第１排紙トレイ１３０に堆積され、図１（ｂ）に示すように満杯予告センサ２４がオンしたら、表示ランプ３１をこれに応答して点灯させる。さらにシートが第１排紙トレイ１３０に堆積され、図１（ｃ）のように満杯センサ２５がオンしたら、表示ランプ３１を点灯から点滅に切り替えると共に、これ以降のシートの排出を停止させる。ユーザが表示ランプ３１の点滅に気がついて第２排紙トレイ１３０のシートを取り除き、図１（ａ）の状態になったら、表示ランプ３１を消灯させる。即ち、第１排紙トレイにシートが堆積される状態で、満杯予告センサ２４と満杯センサ２５が共にオフなら、表示ランプ３１を消灯させ、満杯予告センサ２４のみがオンし、満杯センサ２５がオフの状態では表示ランプ３１を点灯させ、満杯予告センサ２４と満杯センサ２５が共にオンの状態では表示ランプ３１を点滅させる。満杯予告センサ２４と満杯センサ２５の状態に対して前述のように表示ランプ３１の表示を制御することにより満杯予告と満杯の状態をユーザに知らせることができる。
【００４８】
なお、図１では、排出されたシートを第１排紙トレイ１３０に堆積させるため、第２排紙トレイ１３１は、上側に退避している。この状態では満杯予告センサ１４と満杯センサ１５とはシートの堆積状態を検知することはできないが、排出されたシートは第２排紙トレイに堆積されないので、図１の位置へ第２排紙トレイが移動する以前、第２排紙トレイへのシート排出位置に当該トレイが配置されていたときの状態を保持して表示してもよい。
【００４９】
一方、第２排紙トレイが図２に示す位置にあるときは、満杯予告センサ１４と満杯センサ１５が共にオフなら、表示ランプ３２を消灯させ、満杯予告センサ１４のみがオンし、満杯センサ１５がオフの状態では表示ランプ３２を点灯させ、満杯予告センサ１４と満杯センサ１５が共にオンの状態では表示ランプ３２を点滅させる。満杯予告センサ１４と満杯センサ１５の状態に応じて前述のように表示ランプ３２の表示を制御することにより満杯予告と満杯の状態をユーザに知らせることができる。
【００５０】
前述とは異なる実施の一形態を図７および図８（ｂ）に示す。図７は、第２排紙トレイを定期的にシート排出の合間に所定距離だけ第１排紙トレイに近づけ、満杯予告センサと満杯センサの状態を検知して多段階の満杯予告検知を行う場合を示す説明図である。そして、図８（ｂ）は、３段階の満杯予告と満杯表示を行う場合の表示部の例である。
【００５１】
例えば、図１（ａ）に示すように、第１排紙トレイ１３０にシートが堆積されていない場合、表示ランプ３１は４つのランプを全て消灯させる。そして、排出されたシートが第１排紙トレイ１３０に堆積されていくとき、第２排紙トレイを定期的にシート排出の合間に所定距離だけ下げ、図７（ｂ）あるいは（ｃ）に示す位置で満杯予告センサ２４と満杯センサ２５の状態を検知する。やがてシートが堆積して図７（ｃ）の状態になったら、表示ランプ３１のうち下から１つ目のランプだけを点灯させる。さらに、シートが堆積して図７（ｂ）に示す状態になったら、表示ランプ３１のうち下から２つのランプを点灯させる。これ以上シートが堆積すると、第２排紙トレイ１３１を図７（ｂ）に示す所定位置へ下げようとしたときに、所定位置に達する前に満杯センサ２５がオンするので、この状態をトレイ移動の下限としてそれ以上第２排紙トレイ１３１を降下させない。しかし、シート排出途中でユーザがシートを取り除くことがあり得るので、定期的にトレイを降下させることは止めない。シートが取り除かれずに堆積していくと、やがて図７（ａ）に示すように第２排紙トレイ１３１が退避位置にある状態で満杯予告センサ２４がオンする。この状態になったら、表示ランプ３１のうち下から３つのランプを点灯させる。そして、図１（ｃ）のように満杯センサ２５がオンしたら、表示ランプ３１の一番上のランプを点滅させると共に、これ以降のシートの排出を停止させる。ユーザが表示ランプ３１の点滅に気がついて第２排紙トレイ１３０のシートを取り除き、図１（ａ）の状態になったら、表示ランプ３１の全てのランプを消灯させる。即ち、第２排紙トレイが降下した位置で、満杯予告センサ２４と満杯センサ２５が共にオフなら、表示ランプ３１を全て消灯させ、第２排紙トレイ１３１が位置にあって満杯予告センサ２４のみがオンし、満杯センサ２５がオフの状態では表示ランプ３１のうち最も下のランプを点灯させ、第２排紙トレイが降下した位置で、満杯予告センサ２４と満杯センサ２５が共にオンの状態では表示ランプ３１の下から２つのランプを点滅させる。さらに、第２排紙トレイがシート排出時の位置で満杯予告センサ２４のみがオンし、満杯センサ２５がオフの状態では表示ランプ３１のうち下から３つのランプを点灯させ、第２排紙トレイがシート排出時の位置で、満杯予告センサ２４と満杯センサ２５が共にオンの状態では表示ランプ３１の下から３つのランプを点灯させるとともに最も上のランプを点滅させる。満杯予告センサ２４と満杯センサ２５の状態に対して前述のように表示ランプ３１の表示を制御することにより満杯予告と満杯の状態をユーザに知らせることができる。
【００５２】
なお、前述の説明は、簡単のために第１排紙トレイへ用紙が排出される場合についてのみ説明したが、排出されたシートを第２排紙トレイ上に堆積させる場合は、第２排紙トレイをシート排出の合間に定期的に上昇させて上方のたわみ規制部材１３に近づけ、満杯予告センサ１４と満杯センサ１５の状態を検知して多段階の満杯予告検知を行うことができ、それらの検知結果に基づいて表示ランプ３２の表示を制御することができる。
【００５３】
このほか、実施の形態４のように可動トレイの上限あるいは下限検知を満杯センサあるいは満杯予告センサで兼用する場合、可動トレイ移動時の異常を満杯センサあるいは満杯予告センサの検知に基づいて表示するようにしてもよい。例えば、可動トレイを所定時間下方に移動させたにもかかわらず下限センサと兼用の満杯センサあるいは満杯予告センサが下限を検知しなかった場合、トレイの移動機構もしくはセンサの検知機構の異常が考えられる。この場合、可動トレイの移動を停止すると共に、動作異常を表示部に表示させてもよい。可動トレイの上限検知を満杯センサあるいは満杯予告センサで兼用する場合も、可動トレイを所定時間上方に移動させたにもかかわらず上限センサと兼用の満杯センサあるいは満杯予告センサが上限を検知しなかった場合、可動トレイの移動を停止すると共に、動作異常を表示させてもよい。可動トレイの動作異常は、画像形成装置をユーザが操作するための操作部に表示すればよい。
【００５４】
（実施の形態６）
さらに、シートの取り忘れを検知するセンサを排紙トレイに備え、シート取り忘れセンサの検知に基づく表示を行うようにしてもよい。満杯予告の堆積高さに達しない程度のシートが排紙トレイ上に残っている場合、これをユーザに知らせてシートを完全に取り除かせる方が好ましい場合がある。
例えば、可動トレイの上限あるいは下限を満杯センサあるいは満杯予告センサで兼用する場合、可動トレイの位置を正確に決めるためには、シートを完全に取り除かせることが好ましいことは、実施の形態４ですでに説明したとおりである。
【００５５】
しかし、そのほかにも次のような理由で排紙トレイからシートを取り除くようにユーザを促すことが好ましい場合がある。近年、プリンタ、コピア、ファックスなどの複数の画像読取／印字処理を行うことのできる複合機が増えている。このような複合機ではプリンタ、コピア、ファックスなどの処理モードに応じて排紙トレイを分岐させて仕訳する“可動式ジョブセパレータ”を有することは前述したとおりである。このうち、コピアとして動作する場合は、ユーザがマシンの原稿台に原稿を置いてコピーをとり、排出されたシートを持っていくので排出トレイにシートが放置されることは少ないものと予想される。一方、プリンタとして動作する場合、特にネットワークに接続された共有環境では、ユーザはプリンタから離れた場所にあるホストで印字の操作を行い、印字が完了した頃合を見計らって排出されたシートを取りにプリンタのところへやってくる。このような環境では、いつシートが排出されたかをユーザが知ることができれば便宜である。即ち、プリンタの場合、ユーザが知りたい情報は、排紙トレイに一定量のシートが堆積されたことではなく、自分が印字したシートがいつ排紙トレイに出力されたかということである。このために、排紙トレイ上にセンサを設けて、１枚目のシートが排出されたことをユーザに知らせることが好ましい。
【００５６】
さらに、ファックスとして動作する場合は、不特定多数の送信先から不特定のタイミングで送られてくるデータを受信する。データがいつ送られてくるか予想できないので、早い段階で排紙トレイからシートを取り除き、余裕を持って満杯状態を回避できるようにすることが好ましい。このために、排紙トレイに１枚でも受信がある場合は、それを知らせてシートを取り除くようにユーザを促すことが好ましい。また、受信したデータがいち早く宛先の人間の手元に届くようにするためにも、受信が１枚でもあればそれを知らせることが好ましい。
【００５７】
図１では、第１排紙トレイ１３０にはシート取り忘れセンサ２６が配置され、第２排紙トレイにはシート取り忘れセンサ１６が配置されている。しかし、前述のように、シート取り忘れ検知は、コピア以外のプリンタやファックス用の排紙トレイに設けることが特に好ましい。したがって、例えば第１排紙トレイ１３０をコピア用、第２排紙トレイをプリンタおよびファックス用に用いる場合、第２排紙トレイだけにシート取り忘れセンサを設けてもよい。図２は、このような構成の例を示しており、第２排紙トレイ１３１にはシート取り忘れセンサ１６が配置されているが、第１排紙トレイ１３０には、シート取り忘れセンサが配置されていない。
【図面の簡単な説明】
【００５８】
【図１】この発明のシート堆積装置の構成例を示す説明図である。（実施の形態１）
【図２】この発明のシート堆積装置の異なる状態を示す説明図である。（実施の形態１）
【図３】この発明の画像形成装置の構成例を示す説明図である。（実施の形態１）
【図４】第２排紙トレイの上限および下限位置を、満杯予告センサあるいは満杯センサを用いて検知する場合の上限位置および下限位置でのセンサの状態を示す説明図である。（実施の形態４）
【図５】この発明のシート堆積装置において、シート押さえアームが２つ屈曲部を有する場合を示す説明図である。（実施の形態２）
【図６】この発明のシート堆積装置において、シート押さえアームが湾曲形状を有する場合を示す説明図である。（実施の形態３）
【図７】第２排紙トレイを定期的にシート排出の合間に所定距離だけ下げ、満杯予告センサと満杯センサの状態を検知して多段階の満杯予告検知を行う場合を示す説明図である。（実施の形態５）
【図８】排紙トレイの状態をユーザに知らせるための表示部の一例を示す説明図である。（実施の形態５）
【符号の説明】
【００５９】
１１、２１    シート押さえアーム
１２，２２    アーム支持部
１３，２３    たわみ規制部
１４，１７、２４、２７    満杯予告センサ、第２満杯予告センサ
１５，２５    満杯センサ
１６，２６    シート取り忘れセンサ
３０    表示部
３１，３２，３３，３４    満杯予告／満杯表示ランプ
１０１    原稿台
１０２    露光用光源
１０３    反射鏡
１０４    結像レンズ
１０５    光電変換素子、ＣＣＤ
１１１    感光体ローラ
１１２    帯電部
１１３    現像部
１１４    転写チャージャ
１１５    定着ローラ
１１６    クリーニング装置
１１７    ＬＳＵ
１１８    現像ローラ
１２１    主搬送路
１２２    副搬送路
１２３    固定給紙カセット
１２４    ピックアップローラ
１２５    レジストローラ
１２６    ガイド部材
１２７    排紙口
１２８    排紙ローラ
１２９    搬送ローラ
１３０    第１排紙トレイ
１３１    第２排紙トレイ
【図１】
2006089198.tif 000003
【図２】
2006089198.tif 000004
【図３】
2006089198.tif 000005
【図４】
2006089198.tif 000006
【図５】
2006089198.tif 000007
【図６】
2006089198.tif 000008
【図７】
2006089198.tif 000009
【図８】
2006089198.tif 000010